(57)【要約】【課題】ノイズを抑制しつつ小型化を図る上で有利な撮像装置を提供する。【解決手段】ケース１２内には、ストロボ８０を発光させるためのコンデンサ８４と、駆動回路８２と、接続部８６とが設けられている。駆動回路８２はコンデンサ８４に電荷を充電させて高電圧を生じさせ、充電された電荷をストロボ８０に供給することによりストロボ８０を発光させるものである。接続部８６は、ストロボ８０と駆動回路８２とを電気的に接続するものであり、接続部８６は、ケース１２内において鏡筒１６の左右方向の中央の上方箇所で前後に直線状に延在している。接続部８６の後部は、駆動回路８２が設けられたリジッドな基板９０を含んで構成され、コンデンサ８４はその上端がリジッドな基板９０の後部に半田付けにより取着され、コンデンサ８４は鏡筒１６の後方箇所で上下に延在している。【選択図】図５
2007180650.tif 000002
【特許請求の範囲】
【請求項１】
外装を構成するケースと、
撮影光学系が収容されて前記ケース内で前後に延在しその前部が前記ケースの前面に臨むように設けられ鏡筒と、
前記鏡筒の上方の前記ケースの前面の箇所に前方に臨ませて設けられたストロボと、
柱状に延在するコンデンサと、
前記コンデンサに電荷を充電させるとともに、前記充電された電荷を前記ストロボに供給する駆動回路と、
前記ストロボと前記駆動回路とを電気的に接続する接続部とを備え、
前記接続部は前記ケース内において前記鏡筒の上方箇所で前後に延在して設けられ、
前記コンデンサは前記鏡筒の後方箇所で上下に延在している、
ことを特徴とする撮像装置。
【請求項２】
前記接続部の少なくとも後部は、前記駆動回路が設けられたリジッドな基板を含んで構成され、
前記基板の後部は前記鏡筒の後端よりも後方に位置し、
前記コンデンサはその上端が前記基板の後部に取着されている、
ことを特徴とする請求項1記載の撮像装置。
【請求項３】
前記接続部の前部は、前記ストロボに電気的に接続されるフレキシブルな基板を含んで構成されていることを特徴とする請求項１記載の撮像装置。
【請求項４】
前記接続部は、前記ケース内において前記鏡筒の左右方向の中央の上方箇所で前後に延在していることを特徴とする請求項１記載の撮像装置。
【請求項５】
前記ケースの内部に、前記コンデンサの延在方向の中間部を保持するホルダーが設けられていることを特徴とする請求項１記載の撮像装置。
【請求項６】
前記鏡筒の後部の下端と、前記コンデンサの下端とは、上下方向においてほぼ同じ位置に位置していることを特徴とする請求項１記載の撮像装置。
【請求項７】
前記ケースの前方から見た場合に、前記コンデンサは前記鏡筒の左右方向のほぼ中央で上下に延在していることを特徴とする請求項１記載の撮像装置。
【請求項８】
前記ケースの上面の前部にマイクロフォンが設けられ、前記リジットな基板に前記マイクロフォンから供給される音声信号に信号処理を行なう音声信号処理回路が設けられ、前記マイクロフォンと前記音声信号処理回路は電気的に接続されていることを特徴とする請求項２記載の撮像装置。
【発明の詳細な説明】
【技術分野】
【０００１】
本発明はストロボを有する撮像装置に関する。
【背景技術】
【０００２】
被写体に対して閃光を照射するストロボを備えたビデオカメラなどの撮像装置が提供されている。
このような撮像装置の外装を構成するケースの内部には、ストロボを駆動する駆動回路が設けられており、その駆動回路は、ストロボに高電圧を印加するために電荷を蓄えるコンデンサが実装されている。
ストロボの光量を確保するためにコンデンサの容量を大きなものとすると、コンデンサの外形寸法も大きなものとなる。
一方、撮像装置は小型化が求められており、ケースの小型化を図りつつコンデンサを如何に配置するかが問題となる。
そこで、撮像装置のケースの側面に側方に膨出するグリップ部を形成してケースを手で把持しやすくすると共に、そのグリップ部の内側に形成されたデッドスペースにコンデンサを含む駆動回路を配置することが提案されている（特許文献１参照）。
【特許文献１】特開２００５−２８６３９６号公報
【発明の開示】
【発明が解決しようとする課題】
【０００３】
ところで、ストロボは被写体に対して閃光を照射する都合上、撮影光学系を収容する鏡筒が設けられたケースの前面箇所に配置される。
そのため、上述した従来の撮像装置では、駆動回路とストロボとが互いに離れた位置に配置されることから、駆動回路とストロボを電気的に接続するフレキシブル基板などの接続部の寸法が長くなり、接続部から輻射されるノイズを抑制する上で不利があった。
特に、ストロボの光量を増やすために、容量の大きなコンデンサを用いると、接続部に流れる駆動信号も大きなものとなり、輻射されるノイズも大きなものとなり不利であった。
本発明はこのような事情に鑑みなされたもので、その目的はノイズを抑制しつつ小型化を図る上で有利な撮像装置を提供することにある。
【課題を解決するための手段】
【０００４】
上述の目的を達成するため、本発明の撮像装置は、外装を構成するケースと、撮影光学系が収容されて前記ケース内で前後に延在しその前部が前記ケースの前面に臨むように設けられ鏡筒と、前記鏡筒の上方の前記ケースの前面の箇所に前方に臨ませて設けられたストロボと、柱状に延在するコンデンサと、前記コンデンサに電荷を充電させるとともに、前記充電された電荷を前記ストロボに供給する駆動回路と、前記ストロボと前記駆動回路とを電気的に接続する接続部とを備え、前記接続部は前記ケース内において前記鏡筒の上方箇所で前後に延在して設けられ、前記コンデンサは前記鏡筒の後方箇所で上下に延在していることを特徴とする。
【発明の効果】
【０００５】
本発明によれば、ストロボが鏡筒の上方のケースの前面の箇所に設けられ、接続部はケース内において鏡筒の上方箇所で前後に延在して設けられ、コンデンサが鏡筒の後方の箇所で上下に延在しているため、駆動回路が鏡筒から離間したケースの側面箇所などに配置されている場合に比較して、接続部の長さを大幅に短縮でき、接続部からの輻射ノイズを抑制する上で有利となる。
また、コンデンサを鏡筒の後方箇所で上下に延在して配置したので、鏡筒の後方のデッドスペースを有効に活用することができ、ケースの小型化を図る上で有利となる。
また、ケースの大型化を招くことなく、容量の大きなコンデンサを設けることができるため、光量の大きなストロボを用いる上で有利となる。
【０００６】
（第１の実施の形態）
次に本発明の実施の形態について図面を参照して説明する。
図１、図２は第１の実施の形態の撮像装置１０の構成を示す斜視図、図３、図４は撮像装置１０の制御系の構成を示すブロック図である。
【０００７】
図１、図２に示すように、本実施の形態において撮像装置１０はビデオカメラである。
撮像装置１０の外装を構成するケース１２は、左右方向の幅よりも大きな寸法の前後方向の長さおよび上下方向の高さを有している。なお、本明細書において左右は、撮像装置１０を後方から見た状態でいうものとし、また、光学系の光軸方向で被写体側を前方といい、撮像素子側を後方という。
ケース１２の上部の前部には、撮影光学系１４が組み込まれた鏡筒１６が前後に延在し、その前部がケース１２の前面に臨むように設けられている。撮影光学系１４はズームレンズを有し、ズーム率が連続的に可変できるように構成されている。
鏡筒１６の上方のケース１２の前面上端には、前方に臨ませてストロボ８０が設けられている。ストロボ８０は、静止画撮影時などの場合に閃光を被写体に照射するものである。
鏡筒１６の後端には撮影光学系１４によって導かれた被写体像を撮像する撮像素子１８（図３参照）が設けられている。
図２に示すように、ケース１２の上部の後部には撮像素子１８によって撮像された被写体像を視認するためのビューファインダー（電子式ファインダー）２０が後面から後方に臨んで設けられている。ビューファインダー２０は、ケース１２内部に設けられた例えば液晶表示装置からなるディスプレイパネル２２を有し、そのディスプレイパネル２２に表示される画像を視認するように構成されている。
図１に示すように、ケース１２の左側部には、撮像素子１８によって撮像された被写体像などを表示するための例えば液晶表示装置からなるディスプレイパネル２４が開閉可能に設けられ、このディスプレイパネル２４は閉じられた際に収容凹部１２０２に収容される。なお、収容凹部１２０２の底壁にはスピーカ５２（図３参照）が設けられている。
図２に示すように、ケース１２の右側部には、画像データや音声データを記録するディスク状記録媒体２（図３参照）が装脱可能に収容される収容部２６が設けられ、収容部２６は開閉蓋２６０４により開閉される。
また、図２に示すように、ケース１２の右側面には、前後方向に延在するグリップベルト２８が設けられている。
グリップベルト２８は、両端がケース１２の前部と後部に連結されたベルト本体２８０２と、ベルト本体２８０２の中間箇所を覆う甲当てパッド２８０４とを有している。
また、ケース１２の上面前部にマイクロフォン４６が設けられている。
図１、図２に示すように、撮像装置１０には、撮影にまつわる種々の機能を実行するための操作部材として、電源用操作部材３２、静止画撮影用操作部材３４、ズーム用操作部材３６、モード切り換え用操作部材３８、動画撮影用操作部材４０などが設けられている。
【０００８】
図３に示すように、撮像装置１０には、映像信号用増幅回路４２、画像データ処理部４４、マイクロフォン用増幅回路４８、音声データ処理回路５０、スピーカ５２、出力用増幅回路５４、記録再生回路５６、コントロール回路５８、記録再生機構６０、ドライブ回路６２、インターフェース回路６４、メモリカード用コネクタ６６、ズーム駆動部６８、ストロボ８０の駆動回路８２などが設けられている。
また、撮像装置１０には、電源スイッチ７０、静止画撮影用スイッチ７２、ズーム用スイッチ７４、モード切り換え用スイッチ７６、動画撮影用スイッチ７８が設けられている。
撮像素子１８で生成された撮像信号は映像信号用増幅回路４２で増幅され、画像データ処理部４４に供給される。
画像データ処理部４４は、撮像信号に所定の信号処理を行うことで、動画データおよび静止画データを生成し、記録再生回路５６に供給される。
マイクロフォン４６は、４個のマイクロフォン（不図示）を備え、各マイクロフォンで収音された音声信号はマイクロフォン用増幅回路４８で増幅され、音声データ処理回路５０に供給される。
音声データ処理回路５０は、前記４個のマイクロフォンから出力される４チャンネル分のオーディオ信号に対して所定の演算処理を行って５．１チャンネルの立体音場再生方式の音声データを生成し、これら５．１チャンネルの音声データを記録再生回路５６に供給する。
【０００９】
ここで立体音場再生方式について説明する。
現在、立体音場再生方法としては、ドルビーサラウンド（DOLBY SURROUND）方式、ドルビーサラウンドプロロジック（DOLBY SURROUND PRO LOGIC）方式、ドルビーデジタル（DOLBY DIGITAL）方式及びＤＴＳ（Digital Theater Systems）方式等の左右及び前後方向の音場を再生する立体音場（以下の説明においては立体音場と称する）再生方法がよく知られている。
このような立体音場再生方法に対応して生成されたオーディオ信号が記録された記録媒体を立体音場再生方法が適用された再生装置で再生することにより臨場感を享受することができる。
また、上述した立体音場再生方法に対応したオーディオ信号を録音するためには、３方向以上の多方面からの音を別々のマイクロフォンにより収音する必要がある。
本実施の形態では、上述した立体音場再生方法の１つである５．１チャンネル方式に対応して前記４個のマイクロフォンを用いて収音を行うようにしている。
なお、ドルビー（DOLBY）、ドルビーサラウンド（DOLBY SURROUND）、ドルビーサラウンドプロロジック（DOLBY SURROUND PRO LOGIC）、ドルビーデジタル（DOLBY DIGITAL）は、米国ドルビー・ラボラトリーズ・ライセンシング・コーポレーションの登録商標、また、ＤＴＳは米国Digital Theater Systems Inc.の登録商標である。
なお、本実施の形態では、４個のマイクロフォンを用いて、５．１チャンネル用の音声データを記録媒体記録する場合について説明したが、マイクロフォンは１個でも、あるいは、２個以上の複数であってもよく、記録媒体に記録される音声データの形式は限定されるものではない。
【００１０】
記録再生回路５６は、画像データ処理部４４から供給された動画データおよび静止画データや音声データ処理回路５０から供給された５．１チャンネルの立体音場再生方式の音声データをコントロール回路５８の制御にしたがって記録再生機構６０に供給し、記録再生機構６０は動画データおよび静止画データや音声データを記録媒体としてのディスク状記録媒体２に記録する。本実施の形態では、ディスク状記録媒体２としてＤＶＤ−Ｒなどの光ディスクを用いるが、ディスク状記録媒体としては、ＤＶＤ−Ｒ以外の光ディスク、あるいは、光磁気ディスクであってもよいことは無論である。
また、記録再生回路５６は、画像データ処理部４４から供給された動画データおよび静止画データや音声データ処理回路５０から供給された音声データをインターフェース回路６４を介してメモリカード用コネクタ６６に装着された記録媒体としてのメモリカード４に記録する。
また、記録再生回路５６は、画像データ処理部４４から供給された動画データおよび静止画データを、ドライブ回路６２を介してディスプレイパネル２２、２４に供給して画像の表示を行わせる。
また、記録再生回路５６は、インターフェース回路６４を介してメモリカード４から供給される動画データおよび静止画データを、ドライブ回路６２を介してディスプレイパネル２２、２４に供給して画像の表示を行わせるとともに、インターフェース回路６４を介してメモリカード４から供給される音声データを出力用増幅回路５４を介してスピーカ５２に供給して音声の出力を行わせる。
また、記録再生回路５６は、記録再生機構６０によりディスク状記録媒体２から再生された動画データおよび静止画データを、ドライブ回路６２を介してディスプレイパネル２２、２４に供給して画像の表示を行わせるとともに、記録再生機構６０によりディスク状記録媒体２から再生された音声データを出力用増幅回路５４を介してスピーカ５２に供給して音声の出力を行わせる。
【００１１】
電源スイッチ７０は電源用操作部材３２の操作によって動作されるものであり、コントロール回路５８は、電源スイッチ７０の動作に基づいて撮像装置１０の電源のオン、オフを行う。
静止画撮影用スイッチ７２は静止画撮影用部材３４の操作によって動作されるものであり、コントロール回路５８は、静止画撮影用スイッチ７２の動作に基づいて画像データ処理部４４および記録再生回路５６に指令を与えることにより、画像データ処理部４４から画像データ処理部４４に供給される静止画データを記録再生回路５６から記録再生機構６０に供給することで静止画データをディスク状記録媒体２に記録させる。言い換えると、静止画撮影用部材３４は、いわゆるシャッタボタンとして機能している。
ズーム用スイッチ７４はズーム用操作部材３６の操作によって動作されるものであり、コントロール回路５８は、ズーム用スイッチ７４の動作に基づいてズーム駆動部６８に指令を与えることにより、撮影光学系１４のズームレンズを移動させることにより、撮影光学系１４のズーム率を変化させる。
モード切り換え用スイッチ７６はモード切り換え用操作部材３８の操作によって動作されるものであり、コントロール回路５８はモード切り換え用スイッチ７６の動作に基づいて画像データ処理部４４に指令を与えることにより、画像データ処理部４４によって動画データを生成させる動画撮影モードと、画像データ処理部４４によって静止画データを生成させる静止画撮影モードとを切り換える。
なお、動画撮影モードでは、画像データ処理部４４で生成された動画データが記録再生回路５６を介してディスク状記録媒体２またはメモリカード４に記録され、静止画撮影モードでは、画像データ処理部４４で生成された静止画データが記録再生回路５６を介してディスク状記録媒体２またはメモリカード４に記録される。
すなわち、本実施の形態では、ディスク状記録媒体２およびメモリカード４の双方に対して動画データ、静止画データ、音声データの記録および／または再生が行われるように構成されている。
動画撮影用スイッチ７８は動画撮影用操作部材４０の操作によって動作されるものであり、コントロール回路５８は、動画撮影用スイッチ７８の動作に基づいて動画データの記録の開始、記録の停止を行わせる。すなわち、コントロール回路５８は、動画撮影用スイッチ７８の動作に基づいて画像データ処理部４４および記録再生回路５６に指令を与えることにより、画像データ処理部４４から画像データ処理部４４に供給される動画データを記録再生回路５６から記録再生機構６０に供給することで動画データをディスク状記録媒体２に記録させる動作を開始させ、あるいは、その動作を停止させる。言い換えると、動画撮影用操作部材４０は、いわゆる撮影スタート／ストップの操作部材として機能している。
【００１２】
次に、実施の形態に係るストロボ８０および駆動回路８２の配置について説明する。
図５は鏡筒１６、ストロボ８０、駆動回路８２を示す斜視図、図６は図５のＡ矢視図である。
図５、図６に示すように、ケース１２内には、ストロボ８０を発光させるためのコンデンサ８４と、駆動回路８２と、接続部８６とが設けられている。
コンデンサ８４は電荷を充電するものであり、円柱状に延在している。
駆動回路８２は従来公知の昇圧回路や充放電回路を含むものであり、図３に示すように、コントロール回路５８の指令に基づいてコンデンサ８４に電荷を充電させて高電圧を生じさせ、充電された電荷をストロボ８０に供給することにより（高電圧をストロボ８０に印加することにより）、ストロボ８０を発光させるものである。
【００１３】
図５、図６に示すように、接続部８６は、ストロボ８０と駆動回路８２とを電気的に接続するものであり、接続部８６は、ケース１２内において鏡筒１６の左右方向の中央の上方箇所で前後に直線状に延在している。
接続部８６の前部は、ストロボ８０に電気的に接続されるフレキシブルな基板８８を含んで構成され、接続部８６の後部は、駆動回路８２が設けられたリジッドな基板９０を含んで構成されている。
【００１４】
図５、図６に示すように、リジッドな基板９０の後部は鏡筒１６の後端よりも後方に位置し、コンデンサ８４はその上端がリジッドな基板９０の後部に半田付けにより取着され、コンデンサ８４は鏡筒１６の後方箇所で上下に延在している。
そして、鏡筒１６の後部の下端と、コンデンサ８４の下端とは、上下方向においてほぼ同じ位置に位置し、また、ケース１２の前方から見た場合に、コンデンサ８４は鏡筒１６の左右方向のほぼ中央で上下に延在している。
本実施の形態では、ケース１２の内部に、コンデンサ８４の延在方向の中間部を保持するホルダー９２が設けられ、ケース１２に振動や衝撃が加わった際に、コンデンサ８４とリジッドな基板９０とが半田付けにより接続されている箇所に無理な力が加わることを防止している。
【００１５】
また、本実施の形態では、図６に示すように、ケース１２の上面の前部に設けられたマイクロフォン４６が接続部８６の中間部の上方に位置している。
リジットな基板９０には、駆動回路８２に加えて、前記のマイクロフォン用増幅回路４８と音声データ処理回路５０が設けられており、マイクロフォン用増幅回路４８と音声データ処理回路５０によってマイクロフォン４６から供給される音声信号に信号処理を行なう音声信号処理回路が構成されている。
マイクロフォン４６と前記音声信号処理回路はフレキシブル基板４６０２によって電気的に接続されている。
なお、リジッドな基板９０上において、ストロボ８０に対して大きな信号を供給する駆動回路８２と、小電力の音声信号を扱う前記音声信号処理回路とは、電気的に分離されて形成されており、前記音声信号処理回路が駆動回路８２からノイズや誘導などの電気的な影響を受けないように構成されている。
【００１６】
次に、図４、図７、図８を参照して赤外線受光素子１００、赤外線発光素子１０４の配置構造について説明する。
図４に示すように、撮像装置１０には、遠隔操作を行えるようにするため、赤外線受光素子１００、リモートコントロールインターフェース１０２が設けられている。
また、撮像装置１０には、赤外線撮影を行なえるようにするため、赤外線発光素子１０４、ドライバ１０６が設けられている。
また、撮像装置１０には、撮影動作中であることを表示するため、タリーランプ１０８、ドライバ１１０が設けられている。
【００１７】
図４において、赤外線受光素子１００は、撮像装置１０の外部に設けられたリモートコントロール装置１０１から送信される所定形式の赤外線信号を受光して受光信号をリモートコントロールインターフェース１０２に供給するものである。
リモートコントロールインターフェース１０２は前記受光信号をデコードすることにより制御命令に変換し、コントロール回路５８に供給するものである。
コントロール回路５８は、供給された前記制御命令にしたがった動作、例えば、動画撮影のスタート／ストップ動作、静止画撮影のシャッタ動作などを行う。
赤外線発光素子１０４は、赤外線による照明光を被写体に照射するものである。
ドライバ１０６は、コントロール回路５８によって制御され赤外線発光素子１０４に対して駆動信号を供給するものである。
赤外線発光素子１０４による赤外線照明は、照明光がない夜間などにおける赤外線撮影時に行なわれる。
タリーランプ１０８は、撮像装置１０が動画撮影中に点灯し、動画撮影が停止中に滅灯することで、被写体に対して撮影状態を知らせるものである。
ドライバ１１０は、コントロール回路５８によって制御されタリーランプ１０８に対して駆動信号を供給するものである。
【００１８】
図７は赤外線受光素子１００、赤外線発光素子１０４、タリーランプ１０８の配置構造を示す説明図、図８はカバー片１２６２を取り除いた図７の斜視図である。
図１、図７に示すように、ケース１２の前面下部には、開口１２６０が形成され、開口１２６０は赤外線が通過可能な材料で形成されたカバー片１２６２によって閉塞されている。
開口１２６０内には、矩形板状の基板１１２がその前面１１２Ａを前方に向け後面１１２Ｂを後方に向けて配置されている。
基板１１２の前面１１２Ａには、赤外線受光素子１００がその受光面１００Ａを前方に向けて、赤外線発光素子１０４がその光の照射方向を前方に向けて、それぞれ半田付けにより取着されている。
赤外線受光素子１００は上側に、赤外線発光素子１０４は下側に配置されている。
【００１９】
赤外線受光素子１００と赤外線発光素子１０４の間には、赤外線を透過しない材料で形成された隔壁１１４が前面１１２Ａから前方に起立し上下方向と直交する平面に沿って延在して配置されている。
赤外線を透過しない材料としては、例えば、着色されたＰＥＴ（ポリエチレンテレフタレート）シートなどを採用することができる。
隔壁１１４は、赤外線受光素子１００の受光面１００Ａに対して赤外線発光素子１０４から発光される赤外線を遮断する大きさと形状で設けられている。
【００２０】
このような赤外線受光素子１００、赤外線発光素子１０４の配置構造によれば、隔壁１１４によって赤外線発光素子１０４から発光される赤外線が赤外線受光素子１００の受光面１００Ａに対して遮断されるため、赤外線発光素子１０４の点灯状態において赤外線発光素子１０４からの赤外線の照射によって赤外線受光素子１００が誤動作することがなく、リモートコントロール装置１０１を用いたリモートコントロール操作を誤動作することなく行える。
なお、従来は、赤外線受光素子１００、赤外線発光素子１０４を並列して配置した場合に、赤外線発光素子１０４からの赤外線の照射によって赤外線受光素子１００が誤動作することを防止するために、赤外線受光素子１００と赤外線発光素子１０４との距離を十分離間させて配置する必要があり、小型化を図る上で不利があったのに対し、上記構成によれば、赤外線受光素子１００と赤外線発光素子１０４との距離を近接させても誤動作を防止でき、小型化を図る上で格段に有利となる。
【００２１】
また、基板１１２の後面１１２Ｂの下部寄りの箇所には、タリーランプ１０８がその発光方向を下方に向けて半田付けにより取着されている。本実施の形態ではタリーランプ１０８は赤色光を発光するＬＥＤで構成されている。
タリーランプ１０８の下方には導光管１１６が設けられ、導光管１１６の一端にはタリーランプ１０８からの光を前方に反射する反射面１１６が形成され、導光管１１６の他端はカバー片１２６２を貫通してカバー片１２６２の外面に臨み、カバー片１２６２の外面と同一面を形成する表示面１１６Ｂを形成している。
したがって、タリーランプ１０８が点灯すると、その光は反射面１１６Ａで反射され導光管１１６によって前方に導かれて表示面１１６Ｂを照明し、したがって、前方から見てこの表示面１１６Ｂが赤色に点灯されることになる。
このように基板１１２の前面１１２Ａに赤外線受光素子１００と赤外線発光素子１０４を配置し、後面１１２Ｂにタリーランプ１０８を配置して導光管１１６でタリーランプ１０８の光を前方に導くようにすれば、部品を配置する基板１１２のスペースを節約でき、小型化を図る上で有利となる。
【００２２】
次に、図４、図９を参照して開閉蓋２６０４のロック解除構造について説明する。
図４に示すように、撮像装置１０には、開閉蓋２６０４の閉塞状態をロックするロック機構１２０、ロック機構１２０を駆動させることによりロック機構１２０のロック状態を解除するモータ１２２、コントロール回路５８の指令によりモータ１２２を駆動するドライバ１２４、ロック機構１２０のロック状態を解除させる際に操作される開閉蓋スイッチ１２６（図１参照）が設けられている。
すなわち、コントロール回路５８は、開閉蓋用スイッチ１２６の動作に基づいてドライバ１２４を介してモータ１２２を動作させ、これによりロック機構１２０による開閉蓋２６０４のロック状態の解除を行う。
これにより、ディスク状記録媒体２に対する記録動作中に開閉蓋２６０４が不用意に開放されて記録動作が途中で停止しデータが破損してしまうことが防止されている。
ところで、撮像装置１０のバッテリーが切れるなどしてモータ１２２を動作させることが不能になると、開閉蓋２６０４を開けることができず、ディスク状記録媒体２の取り出しが不可能となることが懸念される。
このような不都合を回避するため、本実施の形態では、手動操作により開閉蓋２６０４のロックを解除できるように構成している。
【００２３】
図９は開閉蓋２６０４のロック解除操作の説明図である。
図９に示すように、カバー１２の前面下部には開口１２７０が形成されており、開口１２７０は係脱可能な蓋板１２７２により閉塞されている。
撮像装置１０のバッテリーが切れた場合には、蓋板１２７２を取り外し、開口１２７０からドライバーＤを挿入し、ロック機構１２０によるロック状態を解除する。
これにより、開閉蓋２６０４を手動により開け、ディスク状記録媒体２を取り出すことが可能となる。
【００２４】
以上説明したように、本実施の形態によれば、ストロボ８０が鏡筒１６の上方のケース１２の前面の箇所に設けられ、接続部８６はケース１２内において鏡筒１６の上方箇所で前後に延在して設けられ、コンデンサ８４が鏡筒１６の後方の箇所で上下に延在しているため、駆動回路８２が鏡筒１６から離間したケース１２の側面箇所などに配置されている場合に比較して、接続部８６の長さを大幅に短縮でき、接続部８６からの輻射ノイズを抑制する上で有利となる。
より詳細には、ストロボ８０が鏡筒１６の上方のケース１２の前面の箇所に設けられ、接続部８６の後部が、駆動回路８２が設けられコンデンサ８４が支持されたリジッドな基板９０を含んで構成され、ストロボ８０と駆動回路８２とを電気的に接続する接続部８６がケース１２内において鏡筒１６の上方箇所で前後に直線状に延在して設けられているので、駆動回路８２が鏡筒１６から離間したケースの側面箇所などに配置されている場合に比較して、接続部８６の長さを大幅に短縮でき、接続部８６からの輻射ノイズを抑制する上で有利となる。
また、ストロボ８０に電圧を印加するためのコンデンサ８４を鏡筒１６の後方箇所で上下に延在して配置したので、鏡筒１６の後方のデッドスペースを有効に活用することができ、ケース１２の小型化を図る上で有利となる。
また、鏡筒１６の後方のデッドスペースを有効に活用してコンデンサ８４を配置でき、ケース１２の大型化を招くことなく、容量の大きなコンデンサ８４を設けることができるため、光量の大きなストロボ８０を用いる上で有利となる。
【００２５】
なお、本実施の形態では、接続部８６の後部がリジッドな基板９０を含んで構成され、接続部８６の前部がストロボ８０に電気的に接続されるフレキシブルな基板８８を含んで構成されている場合について説明したが、少なくとも接続部８６の後部がコンデンサ８０を取り付けることができるようにリジッドな基板９０を含んでいればよいのであり、接続部８６の全域がリジッドな基板９０で構成されていてもよい。
【００２６】
なお、本実施の形態では、記録媒体として、ディスク状記録媒体としての光ディスクやメモリカードを用いる場合について説明したが、記録媒体はこれらに限定されるものではなく、例えば、テープ状記録媒体としての磁気テープ、あるいは、装脱可能なハードディスクドライブ装置、あるいは、ケース１２に内蔵されたハードディスクドライブ装置や半導体メモリであってもよい。
また、実施の形態では、撮像装置１０が動画データや静止画データの記録および再生の双方を行うものである場合について説明したが、動画データや静止画データの記録のみを行うものであってもよいことは無論である。
【図面の簡単な説明】
【００２７】
【図１】第１の実施の形態の撮像装置１０の構成を示す斜視図である。
【図２】第１の実施の形態の撮像装置１０の構成を示す斜視図である。
【図３】撮像装置１０の制御系の構成を示すブロック図である。
【図４】撮像装置１０の制御系の構成を示すブロック図である。
【図５】鏡筒１６、ストロボ８０、駆動回路８２を示す斜視図である。
【図６】図５のＡ矢視図である。
【図７】赤外線受光素子１００、赤外線発光素子１０４、タリーランプ１０８の配置構造を示す説明図である。
【図８】カバー片１２６２を取り除いた図７の斜視図である。
【図９】開閉蓋２６０４のロック解除操作の説明図である。
【符号の説明】
【００２８】
１０……撮像装置、１２……ケース、１４……撮影光学系、１６……鏡筒、８０……ストロボ、８４……コンデンサ、８２……駆動回路、８６……接続部。
【図１】
2007180650.tif 000003
【図２】
2007180650.tif 000004
【図３】
2007180650.tif 000005
【図４】
2007180650.tif 000006
【図５】
2007180650.tif 000007
【図６】
2007180650.tif 000008
【図７】
2007180650.tif 000009
【図８】
2007180650.tif 000010
【図９】
2007180650.tif 000011